(57)【要約】【課題】空気中の浮遊物質の通過を抑制できるようにする。【解決手段】本発明に係る網戸用の網材は、繊維２２０ａ，２２０ｂを織り込んだ網状の基材２２０と、空気中の浮遊物質を付着させる付着層２２１とを備え、該付着層２２１は、網材２２０の外面側にある繊維材の表面に帯電剤又は粘着剤を含んでいる。【選択図】図１
2015178183.tif 000002
【特許請求の範囲】
【請求項１】
通気性を有する基材と、該基材の少なくとも一方の面側に設けられた付着層であって、浮遊物質を付着可能に構成された付着層を備えたことを特徴とするシート状の通気資材。
【請求項２】
前記基材は、繊維を織り込んだ網材で構成され、前記付着層は、該網材の少なくとも一方の面側にある繊維材の表面に設けられたことを特徴とする請求項１に記載のシート状の通気資材。
【請求項３】
前記付着層は、粘着剤を含むことを特徴とするシート状の通気資材。
【請求項４】
前記付着層は、帯電剤を含むことを特徴とするシート状の通気資材。
【請求項５】
基材としての不織布と、浮遊物質を付着させる付着層であって、該不織布の少なくとも一方の面側にある繊維材の表面に設けられた付着層とを備えたことを特徴とするシート状の通気資材。
【請求項６】
前記付着層は、粘着材を含むことを特徴とする請求項１乃至４のいずれか１項に記載のシート状の通気資材。
【請求項７】
前記付着層は、帯電材を含むことを特徴とする請求項１乃至４のいずれか１項に記載のシート状の通気資材。
【請求項８】
網戸用の網材であって、該網材は、前記いずれかのシート状の通気資材で構成されることを特徴とする網戸用の網材。
【請求項９】
衛生用のマスクであって、着用者の口を覆う本体と、着用者の耳に掛止可能な耳掛けとを備え、前記本体が前記いずれかのシート状の通気資材で構成される、又は、前記本体の少なくとも一面側に、前記いずれかのシート状の通気資材が配置されることを特徴とする衛生用のマスク。
【発明の詳細な説明】
【技術分野】
【０００１】
本発明は、例えば、網戸やマスク等の通気性の要求される用品に使用されるシート状の通気資材に関する。
【背景技術】
【０００２】
空気中の浮遊物質の内部への通過を防止すべく、例えば、ガラス戸の外側に網戸を設けているが、該網戸の網目は粗いため、網目の小さいスクリーンフィルタを網戸の網体の外側に取り付けて、空気中の浮遊物質の通過を防止するものが提供されている（特許文献１参照）。
【０００３】
また、極細繊維を布状に形成したフィルタを取り付けて、空気中の浮遊物質の通過を防止するマスクが提供されている（特許文献２参照）。
【先行技術文献】
【特許文献】
【０００４】
【特許文献１】実開平６−３７４８６号公報
【特許文献２】実用新案登録第３０９０３９６号公報
【発明の概要】
【発明が解決しようとする課題】
【０００５】
ところで、前記スクリーンフィルタ及びマスクの場合、目の粗さを小さくするには限界があるため、空気中の浮遊物質の通過を抑制することは困難である、という問題がある。
【０００６】
そこで、本発明は、斯かる問題に鑑み、空気中の浮遊物質の通過を抑制することができるシート状の通気資材を提供することを課題とする。
【課題を解決するための手段】
【０００７】
本発明に係るシート状の通気資材は、通気性を有する基材と、該基材の少なくとも一方の面側に設けられた付着層であって、浮遊物質を付着可能に構成された付着層を備えたことを特徴とする。
【０００８】
かかる構成によれば、通気性を有する基材の少なくとも一方の面側に設けられた付着層によって、浮遊物質を付着できるように構成されているため、空気中の浮遊物質が付着層に付着されるようになり、空気中の浮遊物質の通過を抑制することができる。
【０００９】
また、本発明に係るシート状の通気資材は、前記基材は、繊維を織り込んだ網材で構成され、前記付着層は、該網材の少なくとも一方の面側にある繊維材の表面に設けられることが好ましい。
【００１０】
かかる構成によれば、網材の少なくとも一方の面側にある繊維材の表面に設けられた付着層に、空気中の浮遊物質が付着されるため、空気中の浮遊物質の通過を抑制することができる。
【００１１】
また、本発明によれば、付着層は、粘着剤を含むようにしてもよい。
【００１２】
かかる構成によれば、粘着剤を含む付着層によって、空気中の浮遊物質が付着されるため、浮遊物質の通過を抑制することができる。
【００１３】
また、本発明によれば、付着層は、帯電剤を含むようにしてもよい。
【００１４】
かかる構成によれば、帯電剤を含む付着層によって、空気中の浮遊物質が付着されるため、浮遊物質の通過を抑制することができる。
【００１５】
また、本発明に係るシート状の通気資材は、基材としての不織布と、浮遊物質を付着させる付着層であって、該不織布の少なくとも一方の面側にある繊維材の表面に設けられた付着層とを備えたことを特徴とする。
【００１６】
かかる構成によれば、不織布の少なくとも一方の面側にある繊維材の付着層に、空気中の浮遊物質が付着されるため、浮遊物質の通過を抑制することができる。
【００１７】
また、本発明によれば、前記付着層は、粘着材を含むようにしてもよい。
【００１８】
かかる構成によれば、空気中の浮遊物質が粘着材を含む付着層に付着されるため、浮遊物質の通過を抑制することができる。
【００１９】
また、本発明によれば、前記付着層は。帯電材を含むようにしてもよい。
【００２０】
かかる構成によれば、空気中の浮遊物質が帯電材を含む付着層に付着されるため、浮遊物質の通過を抑制することができる。
【００２１】
また、本発明に係る網戸用の網材は、前記いずれかのシート状の通気資材で構成されることを特徴とする。
【００２２】
かかる構成によれば、前記いずれかのシート状の通気資材で構成される網戸用の網材に、空気中の浮遊物質が付着されるため、浮遊物質の通過を抑制することができる。
【００２３】
また、本発明に係る衛生用のマスクは、着用者の口を覆う本体と、着用者の耳に掛止可能な耳掛けとを備え、前記本体は、前記いずれかのシート状の通気資材で構成されることを特徴とする。
【００２４】
かかる構成によれば、マスクの本体が前記いずれかのシート状の通気資材で構成されるため、マスクの本体に空気中の浮遊物質が付着されて、浮遊物質の通過を抑制することができる。
【発明の効果】
【００２５】
本発明によれば、通気性を有する基材と、該基材の少なくとも一方の面側に設けられた付着層であって、浮遊物質を付着可能に構成された付着層を備えたため、空気中の浮遊物質の通過を抑制することができるという優れた効果を奏し得る。
【図面の簡単な説明】
【００２６】
【図１】図１は、本発明の一実施形態に係るシート状の通気資材であり、図１（ａ）は、平面図、図１（ｂ）は、拡大断面図。
【図２】図２は、同実施形態に係る窓枠に取り付けられる網戸を示す斜視図。
【図３】図３（ａ）は、図２の一部拡大図、図３（ｂ）は、図２の拡大断面図。
【図４】折り畳み式の玄関網戸を示す斜視図。
【図５】衛生用のマスクを示す斜視図。
【発明を実施するための形態】
【００２７】
以下、本発明の一実施形態に係るシート状の通気資材について、図１及び図２（ａ），（ｂ）を参照しつつ説明する。
【００２８】
本実施形態に係るシート状の通気資材１として、窓に取り付けられた網戸用の網材を例にとって説明する。窓２は、図１に示す如く、窓枠２０と、該窓枠２０に移動可能に設けられた一対のガラス戸２１，２１と、ガラス戸２１，２１の外側に移動可能に設けられた網戸２２とを備える。
【００２９】
網戸２２は、枠材２２ａと、シート状の通気資材である網材２２０とを備える。図２（ａ）に示す如く、経糸（繊維）２２０ａと、緯糸（繊維）２２０ｂとを織り込んだ基材としての網材２２０と、空気中の浮遊物質を付着させる付着層２２１とを備える。該付着層２２１は、網材２２０の外面側にある繊維材の表面に帯電剤又は粘着剤を含んでいる。
【００３０】
帯電剤としては、例えば、フェノール樹脂やスチロール樹脂を有機溶剤に溶かして樹脂加工を施したもの、また、シリコン系樹脂として、酢酸型、オキシム型、アルコール型等の１成分形縮合型や、２成分形縮合型、１成分形付加型（加熱硬化型）のもの、フッ素系樹脂として、四フッ化エチレン、三フッ化塩化エチレン、フッ化ビニリデン、フッ化ビニール等の単量体または共重合体を用いることができる。また、粘着剤としては、例えば、アクリル樹脂系の粘着剤がある。
【００３１】
前記網材２２０によれば、網材２２０の外面側にある繊維材の表面に設けられた付着層２２１に、空気中の浮遊物質が付着されるため、空気中の浮遊物質の通過を抑制することができる。
【００３２】
なお、本発明は、前記実施形態に限定されるものではなく、本発明の要旨を逸脱しない範囲で適宜変更を加え得ることは勿論のことである。
【００３３】
例えば、前記実施形態の場合、網材に帯電剤を含むようにしたが、帯電材を含むようにしてもよい。プラス帯電材としては、例えば、アルミニウム、マイナス帯電材としては、例えば、フッ素樹脂がある。帯電材の代わりに、粘着材を含むようにしてもよい。
【００３４】
また、前記実施形態の場合、シート状の通気資材として、網戸２２の網材２２０を例にとって説明したが、図３に示す如く、玄関戸の折り畳み式の網戸２２Ａの網材２２０Ａにも適用できる。
【００３５】
また、シート状の通気資材としては、不織布を備えたもの、例えば、衛生用のマスクに使用される。
【００３６】
基材として不織布を備えたシート状の通気資材３は、図４（ａ）に示す如く、基材としての不織布３０と、浮遊物質を付着させる付着層３１とを備える。該付着層３１は、図４（ｂ）に示す如く、不織布３０の少なくとも一方の面側にある繊維材の表面に帯電剤又は粘着剤を含んでいる。
【００３７】
衛生用のマスク４は、図５に示す如く、着用者の口を覆う本体４０と、着用者の耳に掛止可能な耳掛け４１，４１とを備える。前記本体４０が前記いずれかのシート状の通気資材１，３で構成される、又は、前記本体４０の少なくとも一面側には、前記いずれかのシート状の通気資材１，３が配置される。
【００３８】
衛生用のマスク４の本体４０の少なくとも一面側に、前記いずれかのシート状の通気資材１，３が配置されるため、衛生用のマスク４の本体４０に空気中の浮遊物質が付着されて、浮遊物質の通過を抑制することができる。なお、本体４０を、前記いずれかのシート状の通気資材１，３で構成してもよい。
【符号の説明】
【００３９】
１，３…シート状の通気資材、２２…網戸、２２０…網材、２２０ａ，２２０ｂ…繊維、２２１，３１…付着層、４…衛生用のマスク、３０…不織布、４…衛生用のマスク、４０…本体、４１…耳掛け
【図１】
2015178183.tif 000003
【図２】
2015178183.tif 000004
【図３】
2015178183.tif 000005
【図４】
2015178183.tif 000006
【図５】
2015178183.tif 000007